(57)【要約】      （修正有）【課題】ゲート門扉を出入り口方向に傾斜した設置面に安定して設置することができ、ゲート門扉を水平面に対して垂直にして開閉移動させることができるゲート門扉用キャスター機構を提供する。【解決手段】ゲート門扉２の縦桟４の下端にゲートの出入り方向に長い台座１０を設け、台座１０の両端に支軸１１を垂直に設け、各支軸１１の下方に車輪１３を転動自在に設けるとともに、少なくとも一方の支軸１１を上下方向に調整可能とした。また、台座１０の下部には調整可能な支軸１１の側にナット１５が固定され、上記支軸のうち調整可能な支軸１１には上記固定ナット１５に螺合可能なネジ部１４が形成され、上記台座１０の上方に突出した上記ネジ部１４の上部には締め付けナット１６を螺合させ、上記固定ナット１５と締め付けナット１６とにより上記支軸１１を上下方向に調整可能とした。【選択図】図３
0003152813.tif 000002
【実用新案登録請求の範囲】
【請求項１】
ゲート門扉の縦桟の下端にゲートの出入り方向に長い台座を設け、台座の両端に支軸を垂直に設け、各支軸の下方に車輪を転動自在に設けるとともに、少なくとも一方の支軸を上下方向に調整可能としたことを特徴とするゲート門扉用キャスター機構。
【請求項２】
上記台座の下部には調整可能な支軸の側にナットが固定され、上記支軸のうち調整可能な支軸には上記固定ナットに螺合可能なネジ部が形成され、上記台座の上方に突出した上記ネジ部の上部には締め付けナットを螺合させ、上記固定ナットと締め付けナットとにより上記支軸を上下方向に調整可能としたことを特徴とする、請求項１に記載のゲート門扉用キャスター機構。
【請求項３】
上記締め付けナットをロングナットとしたことを特徴とする、請求項２に記載のゲート門扉用キャスター機構。
【考案の詳細な説明】
【技術分野】
【０００１】
この考案は、住宅や車庫、建設現場や資材置場の出入口等に設置される伸縮可能なゲート門扉に用いられるキャスターに関するものであり、特にその設置面が出入り方向に傾斜している場合に適したゲート門扉用キャスター機構に関する。
【背景技術】
【０００２】
一般に、クロスゲートを含む門扉としては、例えば特許文献１に示したようなものが知られている。この伸縮門扉は、複数の縦桟部材と、各縦桟部材間に枢着して架設されるクロスバー（桟部材）とを具備し、前記クロスバー同士の角度が変わることによって各縦桟部材が相互に離間または接近して伸縮し、開閉されるようになっている。
【０００３】
ところが、出入り口等の設置面が門扉の吊り元側が高く、戸先側が低く傾斜していると、門扉の一端を引き出したときに上記端部が設置面から浮いてしまう。そのため、クロスバーやクロスバー同士の枢支部に無理な力が加わり、枢支部が壊れたり、クロスバーが変形したりするという問題がある。そこで、前記各クロスバーの中間部に、これらクロスバーの同軸上で長さを変更できる長さ変更機構を設けたことにより、傾斜地に門扉を設置したとき、その傾斜角に対応し前記クロスバーの長さを変更させて前記縦桟部材を鉛直姿勢に保持しかつ開閉動作するようにした技術が提案されている（特許文献１参照）。
【先行技術文献】
【特許文献】
【０００４】
【特許文献１】特開２００５−３３６８１６号公報
【考案の概要】
【考案が解決しようとする課題】
【０００５】
しかしながら、上記従来の伸縮可能なゲート門扉は、ゲートの出入り口の一方の端部が高く、他方の端部が低くなっているような場合には対応できるものの、出入り方向の一方が高く、他方が低いような場合には対応することができない。このような場合には、ゲート門扉が水平面に対して出入りの高い方が低い方に向かって傾斜する。このため、ゲート門扉の開閉移動を円滑に行うことができないとともに、姿勢が不安定なので、強風などに煽られやすいという問題がある。
【０００６】
本考案は上記問題点を解消し、ゲート門扉を出入り口方向に傾斜した設置面に対応して調整することによりゲート門扉を水平面に対して垂直にして開閉移動させることができるゲート門扉用キャスター機構を提供することをその課題とする。
【課題を解決するための手段】
【０００７】
上記課題を解決するため、請求項1に係る考案は、ゲート門扉の縦桟の下端にゲートの出入り方向に長い台座を設け、台座の両端に支軸を垂直に設け、各支軸の下方に車輪を転動自在に設けるとともに、少なくとも一方の支軸を上下方向に調整可能としたことを特徴とする。
【０００８】
請求項２に係る考案は、請求項１において、上記台座の下部には調整可能な支軸の側にナットが固定され、上記支軸のうち調整可能な支軸には上記固定ナットに螺合可能なネジ部が形成され、上記台座の上方に突出した上記ネジ部の上部には締め付けナットを螺合させ、上記固定ナットと締め付けナットとにより上記支軸を上下方向に調整可能としたことを特徴とする。
【０００９】
請求項３に係る考案は、請求項２において、上記締め付けナットをロングナットとしたことを特徴とする。
【考案の効果】
【００１０】
請求項１に係る考案によれば、ゲート門扉の縦桟の下端にゲートの出入り方向に長い台座を設け、台座の両端に支軸を垂直に設け、各支軸の下方に車輪を転動自在に設けるとともに、少なくとも一方の支軸を上下方向に調整可能としたから、ゲート門扉の設置面が出入り方向に傾斜しているときは、台座の一端又は両端の支軸を上下方向に調整することにより、台座の設置面に対する高さを調整し、ゲート門扉を設置面の傾斜に関係なく水平面に対して垂直の状態にして開閉移動させることができる。したがって、ゲート門扉の開閉移動を円滑に行うことができるとともに、姿勢が安定するので、強風などに煽られにくいという効果が得られる。
【００１１】
請求項２に係る考案によれば、上記台座の下部には調整可能な支軸の側にナットが固定され、上記支軸のうち調整可能な支軸には上記固定ナットに螺合可能なネジ部が形成され、上記台座の上方に突出した上記ネジ部の上部には締め付けナットを螺合させ、上記固定ナットと締め付けナットとにより上記支軸を上下方向に調整可能とした構成であるから、固定ナットに螺合した支軸を回転させて螺進させる操作により上下方向の調整ができるとともに、支軸を固定ナットと締め付けナットとによるダブルナットで固定するので、支軸が勝手に上下動することがなく、開閉移動を安定して行うことができる。
【００１２】
請求項３に係る考案によれば、上記締め付けナットをロングナットとしたから、上記支軸の上部がロングナットの内部に納まり、外部に露出することがないので、外観体裁がよい。
【図面の簡単な説明】
【００１３】
【図１】クロスゲートの全体の正面図。
【図２】本考案に係るキャスター機構を示す要部の側面図。
【図３】上記キャスター機構の調整状態の要部を一部断面で示す側面図。
【図４】キャスター機構の他の取付態様の要部を一部断面で示す側面図。
【考案を実施するための形態】
【００１４】
図１は本考案に係るクロスゲートの一実施形態を示すもので、同図において符号１は柱を示す。柱１は工場等の敷地の出入り口の両側に設けられている。柱１の内側にはゲート門扉２が開閉自在に配置されている。ゲート門扉２は複数のクロスバー３と縦桟４とによって伸縮可能に組み立てられているもので、伸長時には上記出入り口を閉じ、収縮時には入り口を開くように構成されている。また、収縮時にはさらに縦桟４のまわりに回動して上記出入り口を最大限まで開放することができるようになっている。
【００１５】
すなわち、ゲート門扉２は複数の縦桟４に複数のクロスバー３を交差させてなり、クロスバー３の角度と縦桟４間の距離を変えることにより伸縮できるように構成されている。なお、縦桟４間に目隠しパネル５が折畳み展開可能に配設されている場合もある。
【００１６】
縦桟４はクロスバー３の端部と中間部分と支持するもので、その一部（全部でもよい）の縦桟４の下部にはキャスター７が取り付けられている。すなわち、図２に示されるように、縦桟４の下端には取付金具８によって細長の台座１０が固定されている。台座１０はゲートの出入り方向に長くなるように形成され、両端は縦桟４から突出している。台座１０の両端には支軸１１が垂直に設けられている。各支軸１１の下端には車輪の受け金具１２が支軸１１を中心に回転自在に設けられ、受け金具１２には車輪１３が転動自在に取り付けられている。
【００１７】
なお、台座１０はその中央部に縦桟４が配設されてもよいが、図のように一方が他方よりも長くなるように配置してもよい。この場合、設置面が低くなる方が長くなるようにするのがよい。
【００１８】
次に、キャスター７の両側の支軸１１はそれぞれ上下方向に調整可能となっている。すなわち、支軸１１にはネジ部（雄ネジ）１４が形成され、支軸１１はネジ軸となっている。これに上記台座１０の両端部の支軸１１を設ける位置の下部にはナット１５が固定されている。この固定ナット１５は上記支軸１１のネジ部１４に螺合している。台座１０の上方に突出した上記ネジ部１４の上部には締め付けナットとしてロングナット１６が螺合している。
【００１９】
上記構成によれば、図３に示されるように、図に向かって左側の固定ナット１５に螺合した支軸１１を回転させて下方向に螺進させるように操作することにより、支軸１１を下方向に移動調整することができる。これにより、支軸１１の台座１０の下方の長さ、つまり設置面に対する台座１０の高さを自由に調整することができる。これにより、台座１０の両端の車輪１３の上下位置を設置面の傾斜に対応させて調整することができ、設置面が出入り方向に傾斜していても、ゲート門扉２をその傾斜に関係なく水平面に対して垂直の状態に調整して開閉移動させることができる。したがって、ゲート門扉２の開閉移動を円滑に行うことができるとともに、姿勢が安定するので、強風などに煽られにくいという効果を得ることができる。設置面が図３と反対に傾斜しているときは、反対側の支軸１１の上下調整をすればよい。もちろん、両支軸１１を調整してもよい。
【００２０】
また、高さを調整した支軸１１は固定ナット１５とロングナット１６とによって固定される。ダブルナットで固定するので、支軸１１は開閉移動時の振動等により勝手に上下動することがなく、ゲート門扉２の開閉移動を安定して行うことができる。
【００２１】
さらに、支軸１１の上部に螺合する締め付けナットをロングナット１６とすることにより、支軸１１の上部がロングナット１６の内部に納まり、外部に露出することがないので、外観体裁がよい。
【００２２】
なお、縦桟４に台座１０を取り付けるための取付構造や取付手段は他の公知の構造や手段によってもよい。例えば、図４に示されるように、ゲート門扉２の縦桟４の下端両側に断面Ｌ型の台座１０をボルト１７、ナット１８で固定し、各台座１０にそれぞれ上述と同じ要領で上下調整可能なキャスター７を取り付ける構成であってもよい。なお、同図において図１と同じ符号は同じ部材を示すものとする。
【００２３】
また、上述の実施形態においては、両側の支軸１１、１１を上下調整できる構造としたが、一方の支軸１１は固定し、他方の支軸１１のみを上下方向に調整できるようにする構成であってもよい。
【００２４】
さらに、支軸１１の上部の締め付けナットはロングナットである必要はない。固定ナットと同じ通常のナットでもよい。
【符号の説明】
【００２５】
１    柱
２    ゲート門扉
３    クロスバー
４    縦桟
１０  台座
１１  支軸
１３  車輪
１４  ネジ部
１５  固定ナット
１６  締め付けナット（ロングナット）
【図１】
0003152813.tif 000003
【図２】
0003152813.tif 000004
【図３】
0003152813.tif 000005
【図４】
0003152813.tif 000006